(57)【要約】【課題】多数の提供可能なオーディオコンテンツ（音楽又はラジオ番組等）のうちからユーザの現在の好みに合ったコンテンツを提示することによってコンテンツを有効に利用することができる「オーディオ装置及びその提供可能なコンテンツ提示方法」を提供する。【解決手段】ユーザにより楽曲が選択されると、制御部はハードディスクから当該楽曲の音楽データを読み出して再生を開始する。また、制御部は、ユーザが現在聴いている楽曲のアーティストの他の楽曲をハードディスクから検索して、その結果を表示部１２にスクロール表示する。【選択図】図７
2005116068.tif 000002
【特許請求の範囲】
【請求項１】
文字表示が可能な表示部と、
オーディオコンテンツをユーザに提供しながら、利用可能なコンテンツのうちからユーザが聴取しているコンテンツのアーティスト又はジャンルに応じて他のオーディオコンテンツを検索しその結果を前記表示部に表示する制御部と
を有することを特徴とするオーディオ装置。
【請求項２】
前記制御部は、ユーザが現在聴取中のコンテンツのアーティスト又はジャンルと同一のアーティスト又はジャンルのオーディオコンテンツを検索することを特徴とする請求項１に記載のオーディオ装置。
【請求項３】
前記利用可能なオーディオコンテンツが、記録媒体に記録された楽曲であることを特徴とする請求項１又は２に記載のオーディオ装置。
【請求項４】
前記記憶媒体がハードディスクであることを特徴とする請求項３に記載のオーディオ装置。
【請求項５】
前記利用可能なオーディオコンテンツが、放送番組であることを特徴とする請求項１又は２に記載のオーディ装置。
【請求項６】
オーディオコンテンツをユーザに提供しながら、利用可能なコンテンツのうちからユーザが聴取しているコンテンツのアーティスト又はジャンルに応じて他のオーディオコンテンツを検索しその結果を表示部に表示することを特徴とするオーディオ装置の提供可能なコンテンツ提示方法。
【発明の詳細な説明】
【技術分野】
【０００１】
本発明は、ユーザに１つのオーディオコンテンツ（例えば、音楽及びラジオ番組など）を提供している間に他の提供可能なオーディオコンテンツを提示することによってコンテンツを有効に活用できるようにしたオーディオ装置及びその提供可能なコンテンツ提示方法に関する。
【背景技術】
【０００２】
近年、ハードディスク（ＨＤＤ）を記録媒体に利用したオーディオ装置が開発され、広く使用されるようになった。この種のオーディオ装置では、ＭＰ３（MPEG1 Audio Laye3 ）やＷＭＡ（Windows Media Audio ）等の圧縮方式で圧縮された数千曲分の音楽データを記録しておくことができる。各音楽データには、アルバム名、楽曲名、アーティスト名及びジャンル等の情報（タグ）が付加されており、オーディオ装置ではこれらの付加情報を用いて音楽データを管理している。また、通常、この種のオーディオ装置では、再生中の楽曲のアルバム名、楽曲名、アーティスト名及びジャンル等の情報を表示部に表示している。
【０００３】
この種のオーディオ装置で音楽を再生する場合、例えば所定の操作を行うことによりハードディスクに記録されている全てのアルバムのリストが画面に表示されるので、そのリストからユーザは所望のアルバムを選択する。そうすると、次に選択されたアルバムの収録曲のリストが画面に表示されるので、この収録曲のリストから所望の楽曲を選択して「再生」ボタンを押す。これにより、選択された楽曲から当該アルバムの最後の楽曲まで順番に曲が再生される。なお、これ以外にも、例えばハードディスクに記録されている楽曲をアーティスト毎又はジャンル毎に分類したリストを表示部に表示し、これらのリストからユーザが所望の楽曲を選択するような使い方もできる。
【０００４】
しかしながら、ハードディスクに記録できる音楽データの数は極めて多いので、ユーザはどのような楽曲がハードディスクに記録されているのかわからなくなってしまう。そのため、上述した従来のオーディオ装置では、ハードディスクに数千曲分の音楽データが記録されているにもかかわらず、ユーザは限られた比較的少数の楽曲しか聴かなくなってしまうという傾向がある。
【０００５】
本願出願人は、ある曲を再生している間に、記録媒体に記録されている他の楽曲の曲名をランダム又は一定の順番で表示部に表示するオーディオ装置を提案した（特開２００２−２１６４６２号公報）。このように、記録媒体に記録されている楽曲の曲名をユーザに知らせることにより、記録媒体に記録されている楽曲を有効に利用する機会を増やすことができる。
【特許文献１】特開２００２−２１６４６２号公報
【発明の開示】
【発明が解決しようとする課題】
【０００６】
しかしながら、特開２００２−２１６４６２号公報に開示した技術は主にＣＤ−Ｒ（CD-Recordable ）を記憶媒体としたオーディオ装置を対象としており、この技術をハードディスクを記録媒体としたオーディオ装置に適用すると、記憶媒体に記憶できる音楽データの数が極めて多いために、ユーザの現在の好みに合った楽曲名が画面に表示される確率が小さいという問題が発生する。
【０００７】
以上から、本発明の目的は、多数の提供可能なオーディオコンテンツ（音楽又はラジオ番組等）のうちからユーザの現在の好みに合ったコンテンツを提示することによってコンテンツを有効に利用することができるオーディオ装置及びその提供可能なコンテンツ提示方法を提供することである。
【課題を解決するための手段】
【０００８】
上記した課題は、文字表示が可能な表示部と、オーディオコンテンツをユーザに提供しながら、利用可能なコンテンツのうちからユーザが聴取しているコンテンツのアーティスト又はジャンルに応じて他のオーディオコンテンツを検索しその結果を前記表示部に表示する制御部とを有することを特徴とするオーディオ装置により解決する。
【０００９】
上記した課題は、オーディオコンテンツをユーザに提供しながら、利用可能なコンテンツのうちからユーザが聴取しているコンテンツのアーティスト又はジャンルに応じて他のオーディオコンテンツを検索しその結果を表示部に表示することを特徴とするオーディオ装置の提供可能なコンテンツ提示方法により解決する。
【００１０】
本発明においては、利用可能なオーディオコンテンツ（音楽又はラジオ番組等）のうちからユーザが現在聴取しているコンテンツのアーティスト（番組出演者を含む）又はジャンルに応じて他のオーディオコンテンツを検索してその結果を表示部に表示する。従って、ユーザは現在聴取しているコンテンツの他にどのようなコンテンツを利用することができるのかがわかり、コンテンツを有効に利用することができる。例えば、現在ユーザが聴取しているものと同じアーティスト又は同じジャンルのオーディオコンテンツを検索してその結果をユーザに提示することにより、ユーザの現在の好みにあうコンテンツが利用可能であることを知らせることができる。
【発明を実施するための最良の形態】
【００１１】
以下、本発明の実施形態について、添付の図面を参照して説明する。
【００１２】
図１は本発明の実施形態のオーディオ装置の構成を示すブロック図、図２は同じくそのオーディオ装置の前面パネルを示す模式図である。
【００１３】
本実施形態のオーディオ装置は、ハードディスク１０、制御部１１、表示部１２、操作部１３、アンプ１４及びスピーカー１５により構成される。また、制御部１１内には、ハードディスク１０から読み出された音楽データを伸張処理してデジタルオーディオ信号を出力する伸張処理部１１ａと、伸張処理部１１ａから出力されたデジタルオーディオ信号をＤ／Ａ（デジタル／アナログ）変換してアナログオーディオ信号を出力するＤ／Ａ変換器１１ｂとが設けられている。
【００１４】
ハードディスク１０には、ＭＰ３又はＷＭＡ等の圧縮方式で圧縮された多数の音楽データが記録されている。これらの音楽データには、それぞれアルバム名、楽曲名、アーティスト名及びジャンルなどの情報（タグ）が付加されている。ハードディスク１０は制御部１１からの信号に基づいて駆動され、所定の音楽データを読み出して制御部１１に出力する。
【００１５】
制御部１１は、ハードディスク１０から読み出した音楽データを伸張処理部１１ａで伸張処理した後、Ｄ／Ａ変換器１１ｂでアナログオーディオ信号に変換して出力する。このアナログオーディオ信号は、アンプ１４で増幅された後にスピーカー１５に供給されて、スピーカー１５を駆動する。また、制御部１１は、ハードディスク１０に記録されている各音楽データからアルバム名、楽曲名、アーティスト名及びジャンル等の情報を取得して、アルバム毎に分類した楽曲リスト、アーティスト毎に分類した楽曲リスト又はジャンル毎に分類した楽曲リスト等を作成する。更に、制御部１１は、後述するように再生する曲の順番を示す再生リストを作成する。
【００１６】
表示部１２は、例えば液晶パネル又は有機ＥＬ（Electro Luminescence）パネル等により構成される。制御部１１は、動作状況に応じて、表示部１２にアルバム毎、アーティスト毎又はジャンル毎に分類した楽曲リストを表示したり、再生中の楽曲の曲名、アーティスト名及びジャンル等の情報を表示する。
【００１７】
操作部１３には、図２に示すように、「アップ（次のトラック）」ボタン１３ａ、「ダウン（前のトラック）」ボタン１３ｂ、「再生」ボタン１３ｃ、「一時停止」ボタン１３ｄ、「停止」ボタン１３ｅ、「巻き戻し」ボタン１３ｆ及び「早送り」ボタン１３ｇ、「ＧＯ」ボタン１３ｈ及び「メニュー」ボタン１３ｉ等を備えている。本実施形態のオーディオ装置においても、一般的なオーディオ装置と同様に、音楽を再生中に「アップ」ボタン１３ａ又は「ダウン」ボタン１３ｂを押すと、次の曲又は前の曲を再生することができる。また、曲の再生を開始するときには「再生」ボタン１３ｃを押下すればよく、「一時停止」ボタン１３ｄ又は「停止」ボタン１３ｅを押すと再生を一時停止又は停止することができる。更に、「巻き戻し」ボタン１３ｆ又は「早送り」ボタン１３ｇを押下すると、再生位置を前又は後に移動させることができる。但し、本実施形態のオーディオ装置では、後述するように、再生する楽曲を選択するときにはこれらのボタン１３ａ〜１３ｇに別の機能が割付され、これらのボタン１３ａ〜１３ｇと「メニュー」ボタン１３ｉとを使用して、ハードディスク１０に収録されている多数の楽曲のうちから再生曲を選択する。なお、「ＧＯ」ボタン１３ｈの機能については後述する。また、これらの前面パネルに設けられた操作ボタン１３ａ〜１３ｉとは別に、離れた位置から当該オーディオ装置を操作するためのリモコン送信機を備えていることが好ましい。
【００１８】
以下、本実施形態のオーディオ装置の提供可能なコンテンツ提示方法について、図３，図４に示すフローチャートを参照して説明する。
【００１９】
まず、ステップＳ１１において、ユーザは再生する楽曲を選択する。例えば、オーディオ装置の電源をオンにした後に「メニュー」ボタン１３ｉを押すと表示部１２に表示されるメインメニュー（図示せず）から、「全てのアルバムを表示」を選択する。これにより、制御部１１はハードディスク１０を検索して、ハードディスク１０に記録されている全てのアルバム名を取得し、全アルバム名のリストを作成して図５に示すように表示部１２にアルバム名のリスト表示する。このアルバム名のリストが表示されている画面で、「アップ」ボタン１３ａ又は「ダウン」ボタン１３ｂを押すと、画面に表示されたカーソル２１が上方向又は下方向に移動する。また、「巻き戻し」ボタン１３ｆ又は「早送り」ボタン１３ｇを押すと、リストが上方向又は下方向に１画面分スクロールする。これらの操作ボタン１３ａ，１３ｂ，１３ｆ，１３ｇを操作してカーソル２１を所望のアルバムの位置に移動した後、「再生」ボタン１３ｃを押すことにより、カーソル位置のアルバムが選択される。
【００２０】
上述したようにして所望のアルバムを選択すると、図６に示すように、当該アルバムに収録されている楽曲のリストが表示される。ここでも、「アップ」ボタン１３ａ、「ダウン」ボタン１３ｂ、「巻き戻し」ボタン１３ｆ及び「早送り」ボタン１３ｇを操作してカーソル２１を所望の楽曲の位置に移動させ、所望の楽曲を選択する。その後、「再生」ボタン１３ｃを押すことにより、カーソル位置の楽曲が選択される。
【００２１】
このようにして楽曲が選択されると、ステップＳ１２に移行し、制御部１１は選択された楽曲から当該アルバムの最後の楽曲までを順番に再生するように再生リストを作成する。そして、ステップＳ１３に移行して、再生リストの１番目の楽曲の音楽データをハードディスク１０から読み出し、再生を開始する。
【００２２】
すなわち、ハードディスク１０から読み出した音楽データから付加情報（アルバム名、楽曲名、アーティスト名及びジャンル等の情報）を分離し、音楽データを伸張処理部１１ａで伸張処理してデジタルオーディオ信号を生成し、Ｄ／Ａ変換器１１ｂによりデジタルオーディオ信号をアナログオーディオ信号に変換して、アンプ１４に出力する。このようにしてアンプ１４で増幅されたオーディオ信号によりスピーカー１５が駆動されて、音楽が再生される。一方、ステップＳ１４において、制御部１１は音楽データから分離した付加情報を表示部１２に出力して、図２に示すように、表示部１２に再生中の楽曲の曲名、アーティスト名及びジャンル等を表示する。
【００２３】
その後、ステップＳ１５に移行し、制御部１１は現在再生中の楽曲のアーティスト名でハードディスク１０に記録されている楽曲を検索する。そして、ステップＳ１６に移行し、図７に示すように、表示部１２の下段（現在再生中の楽曲の楽曲名等を表示している部分の下側）に、同一アーティストの他の楽曲名を表示する。
【００２４】
本実施形態では、図７に示すように、同一アーティストの他の楽曲名を表示部１２の下段に右から左にスクロール表示している。そして、最も左側に表示されている１つの楽曲名だけが他の楽曲名と異なる色で表示される。以下、スクロール画面の一番左側に表示されて表示色が他の楽曲名と異なる楽曲名を選択対象と呼ぶ。
【００２５】
ステップＳ１７では、曲の再生が終了したか否かを判定する。曲の再生が終了したと判定したときにはステップＳ２０に移行し、再生が終了していないと判定したときにはステップＳ１８に移行する。
【００２６】
ステップＳ１８では「ＧＯ」ボタン１３ｈが押下されたか否かを判定する。「ＧＯ」ボタン１３ｈが押下されたと判定したときにはステップＳ１９に移行し、押下されていないと判定したときにはステップＳ１６に戻って、楽曲の再生を継続するとともに、他の楽曲名のスクロール表示を継続する。
【００２７】
ステップＳ１９では、「ＧＯ」ボタン１３ｈが押下されたときに選択対象となっている楽曲を再生リストに追加する。この場合、再生リストの最後に追加するようにしてもよいし、現在再生中の楽曲の次に追加するようにしてもよい。その後、ステップＳ１６に戻って処理を継続する。
【００２８】
１曲分の楽曲の再生が終了した場合、すなわちステップＳ１７からステップＳ２０に移行した場合は、制御部２０は再生リストを参照して次に再生すべき曲があるか否かを判定する。次に再生すべき曲があると判定したときはステップＳ２１に移行して次の曲の再生を開始し、その後ステップＳ１４に戻って上記の処理を繰り返す。一方、ステップＳ２０で再生リストの全ての楽曲の再生が終了したと判定したときは、楽曲の再生処理を終了する。
【００２９】
このように、本実施形態のオーディオ装置では、ユーザが現在聴いている楽曲のアーティストをユーザの現在の好みのアーティストとして、再生中の楽曲と同じアーティストの楽曲をハードディスク１０から検索し、その結果を表示部１２の下段にスクロール表示するので、ユーザは再生中のアーティストの楽曲の他に同じアーティストのどのような楽曲がハードディスク１０に記録されているのかを知ることができる。これにより、ハードディスク１０に記録されている楽曲を有効に利用することができる。また、ユーザが聴きたい楽曲の曲名が表示部１２に表示されているときに「ＧＯ」ボタン１３ｈを押すことによりその楽曲が再生リストに追加されるので、操作が極めて簡単である。
【００３０】
なお、上記実施の形態では現在再生中の楽曲と同じアーティストの楽曲をハードディスク１０から検索して表示部１２に表示するものとしたが、同じジャンルの楽曲をハードディスク１０から検索して表示部１２に表示するようにしてもよい。図８に、現在再生中の楽曲と同じジャンル（Ｊ−ＰＯＰ）の楽曲の曲名を表示部１２にスクロール表示している例を示す。この場合の処理フローは、図３，図４の処理フロー中の「同じアーティストの楽曲」を「同じジャンルの楽曲」に替えるだけでよいので、ここでは詳細な説明は省略する。
【００３１】
また、現在再生中の楽曲のアーティストの他の楽曲を検索して表示する動作と、現在再生中の楽曲のジャンルの他の楽曲を検索して表示する動作とをユーザの設定により任意に切替えることができるようにしてもよい。
【００３２】
更に、上記した実施形態では、音楽データがハードディスクに記録されたオーディオ装置の場合について説明したが、本発明はこれに限定されるものではなく、記録媒体としてＣＤ−Ｒ又は半導体メモリ（フラッシュメモリ）等を使用したオーディオ装置に適用できることは勿論である。
【００３３】
更にまた、本発明は放送系のサービスを提供するオーディオ装置に適用することもできる。例えば、デジタルラジオでは、１００チャンネル程度の放送が予定されている。本発明をデジタルラジオ受信機に適用した場合、例えば１つのチャンネルを聴取している間に、同じジャンルの番組又は同じ出演者（アーティスト）が出演している番組を検索して表示部に表示する。これにより、ユーザは、興味のある番組を聴き逃すことがなくなる。
【図面の簡単な説明】
【００３４】
【図１】図１は本発明の実施形態のオーディオ装置の構成を示すブロック図である。
【図２】図２は同じくそのオーディオ装置の前面パネルを示す模式図である。
【図３】図３は、実施形態のオーディオ装置の提供可能なコンテンツ提示方法を示すフローチャート（その１）である。
【図４】図４は、実施形態のオーディオ装置の提供可能なコンテンツ提示方法を示すフローチャート（その２）である。
【図５】図５は、実施形態のオーディオ装置の画面表示例を示す図であり、アルバム名のリストを表示している状態を示す。
【図６】図６は、実施形態のオーディオ装置の画面表示例を示す図であり、アルバムに収録されている楽曲のリストを表示している状態を示す。
【図７】図７は、実施形態のオーディオ装置の画面表示例を示す図であり、再生中の楽曲のアーティストと同じアーティストの楽曲をスクロール表示している状態を示す。
【図８】図８は、実施形態のオーディオ装置の画面表示例を示す図であり、再生中の楽曲のジャンルと同じジャンルの楽曲をスクロール表示している状態を示す。
【符号の説明】
【００３５】
１０…ハードディスク、
１１…制御部、
１１ａ…伸張処理部、
１１ｂ…Ｄ／Ａ変換器、
１２…表示部、
１３…操作部、
１４…アンプ、
１５…スピーカー、
２１…カーソル。
【図１】
2005116068.tif 000003
【図２】
2005116068.tif 000004
【図３】
2005116068.tif 000005
【図４】
2005116068.tif 000006
【図５】
2005116068.tif 000007
【図６】
2005116068.tif 000008
【図７】
2005116068.tif 000009
【図８】
2005116068.tif 000010